【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
画像を縮小して、複数の印字可能領域を有する合成画像を作成する画像処理装置であり、
前記合成画像に含まれる文字オブジェクトと図形オブジェクトとを分離する手段と、
前記図形オブジェクトから第１のデータを作成する第１のデータ作成手段と、
ユーザの指示に従い、前記第１のデータ作成手段により作成された第１のデータに含まれる前記図形オブジェクトのサイズ及び配置位置情報を基に
前記図形オブジェクトのサイズを、前記合成画像に含まれる１つの印字可能領域内に配置するように調整し、
前記合成画像の領域のうち前記図形オブジェクトが配置された領域を除く印字可能領域に前記文字オブジェクトを配置して、前記合成画像をレイアウトするレイアウト手段と、
を備えることを特徴とする画像処理装置。
【請求項２】
前記第１のデータ作成手段により作成された図形オブジェクトに与えられたデータには、少なくとも前記図形オブジェクトの外枠サイズ及び配置位置についての情報が含まれていることを特徴とする請求項１に記載の画像処理装置。
【請求項３】
さらに、
前記合成画像に含まれる複数の文字オブジェクトを結合して１つの結合文字列とし、前記結合文字列を解析した情報から第２のデータを作成する第２のデータ作成手段を備え、
前記レイアウト手段は、
前記第２のデータ作成手段により結合文字列に与えられたデータ及び前記合成画像の領域のうち前記図形オブジェクトが配置された領域を除く印字可能領域のサイズを基に前記合成画像に含まれる文字オブジェクトのサイズを調整し、前記印字可能領域に前記文字オブジェクトを配置することを特徴とする請求項１に記載の画像処理装置。
【請求項４】
前記第２のデータ作成手段により作成された結合文字列に与えられたデータには、少なくとも前記結合文字列に含まれる文字列及び前記文字列を構成する文字数についての情報が含まれていることを特徴とする請求項３に記載の画像処理装置。
【請求項５】
前記文字オブジェクトが配置された際、前記文字オブジェクトに含まれる文字サイズが可読最小サイズよりも小さい場合には、前記可読最小サイズに基づき、前記文字サイズを拡大すると共に前記図形オブジェクトのサイズを縮小することを特徴とする請求項１に記載の画像処理装置。
【請求項６】
前記レイアウト手段は、
前記図形オブジェクトが前記文字オブジェクトに比べ優先度が高い程、前記図形オブジェクトを前記合成画像に含まれる１つの印字可能領域内にて拡大し、前記図形オブジェクトが前記文字オブジェクトに比べ優先度が低い程、前記図形オブジェクトの縮小し、前記図形オブジェクトのサイズを調整する手段と、
前記合成画像に含まれ印字可能領域から前記調整された図形オブジェクトが占める領域を除いた領域を文字領域とし、前記文字領域のサイズと前記文字オブジェクトのデータに基づいて前記文字オブジェクトに含まれる文字サイズ及び配置を決定する手段と、
を備えることを特徴とした請求項１に記載の画像処理装置。
【請求項７】
前記レイアウト手段は、前記文字オブジェクトに含まれる文字と前記図形オブジェクトのサイズを自動的に調整する手段を備えることを特徴とする請求項１に記載の画像処理装置。
【請求項８】
前記文字オブジェクトに含まれる文字と前記図形オブジェクトのサイズを自動的に調整する手段は、
前記合成画像に含まれる印字可能領域から前記図形オブジェクトのサイズを減算し、
前記減算した結果を用いて、前記文字オブジェクトを配置することが可能な領域のサイズを算出し、
前記文字オブジェクトを配置することが可能な領域のサイズと当該文字オブジェクトに含まれる文字数から、文字オブジェクトに含まれる文字のサイズを算出し、
前記文字のサイズが可読最小サイズよりも小さい場合には、当該可読最小サイズと当該文字数に基づき結合文字列に含まれる文字のサイズを拡大すると共に前記図形オブジェクトのサイズを縮小すること
を特徴とする請求項７に記載の画像処理装置。
【請求項９】
画像縮小して、複数の印字可能領域を有する合成画像を作成する画像処理方法であって、前記合成画像に含まれる文字オブジェクトと図形オブジェクトとを分離するステップと、
前記図形オブジェクトから第１のデータを作成するステップと、
ユーザの指示に従い、前記第１のデータ作成ステップにより作成された第１のデータに含まれる前記図形オブジェクトのサイズ及び配置位置情報を基に前記図形オブジェクトのサイズを、前記合成画像に含まれる１つの印字可能領域内に配置するように調整し、前記合成画像の領域のうち前記図形オブジェクトが配置された領域を除く印字可能領域に前記文字オブジェクトを配置して、前記合成画像のレイアウトするステップと、
を含むことを特徴とする画像処理方法。
【請求項１０】
前記第１のデータを作成するステップにより作成された図形オブジェクトに与えられたメタデータには、少なくとも前記図形オブジェクトの外枠サイズ及び配置位置についての情報が含まれていることを特徴とする請求項９に記載の画像処理方法。
【請求項１１】
さらに
前記合成画像に含まれる複数の文字オブジェクトを結合して１つの結合文字列とし、前記結合文字列を解析した情報から第２のデータを作成するステップを備え、
前記レイアウトするステップは、
前記第２のデータを作成するステップにより結合文字列に与えられたデータ及び前記合成画像の領域のうち前記図形オブジェクトが配置された領域を除く印字可能領域のサイズを基に前記合成画像に含まれる文字オブジェクトのサイズを調整し、前記印字可能領域に前記文字オブジェクトを配置することを特徴とする請求項９に記載の画像処理方法。
【請求項１２】
前記第２のデータを作成するステップにより作成された結合文字列に与えられたデータには、少なくとも前記結合文字列に含まれる文字列及び該文字列を構成する文字数についての情報が含まれていることを特徴とする請求項１１に記載の画像処理方法。
【請求項１３】
前記文字オブジェクトが配置された際、該文字オブジェクトに含まれる文字サイズが可読最小サイズよりも小さい場合には、前記可読最小サイズに基づき、前記文字サイズを拡大すると共に前記図形オブジェクトのサイズを縮小することを特徴とする請求項９に記載の画像処理方法。
【請求項１４】
前記レイアウトするステップは、
前記図形オブジェクトが前記文字オブジェクトに比べ優先度が高い程、前記図形オブジェクトを前記合成画像に含まれる１つの印字可能領域内にて拡大し、前記図形オブジェクトが前記文字オブジェクトに比べ優先度が低い程、前記図形オブジェクトの縮小し、前記図形オブジェクトのサイズを調整するステップと、
前記合成画像に含まれる印字可能領域から前記調整された図形オブジェクトが占める領域を除いた領域を文字領域とし、前記文字領域のサイズと前記文字オブジェクトのメタデータに基づいて前記文字オブジェクトに含まれる文字サイズ及び配置を決定するステップと、
を含むことを特徴とした請求項９に記載の画像処理方法。
【請求項１５】
前記レイアウトするステップは、前記文字オブジェクトに含まれる文字と前記図形オブジェクトのサイズを自動的に調整するステップを備えることを特徴とする請求項９に記載の画像処理方法。
【請求項１６】
前記文字オブジェクトに含まれる文字と前記図形オブジェクトのサイズを自動的に調整するステップは、
前記合成画像に含まれる印字可能領域から前記図形オブジェクトのサイズを減算し、
前記減算した結果を用いて、前記文字オブジェクトを配置することが可能な領域のサイズを算出し、
前記文字オブジェクトを配置することが可能な領域のサイズと当該文字オブジェクトに含まれる文字数から、文字オブジェクトに含まれる文字のサイズを算出し、
前記文字のサイズが可読最小サイズよりも小さい場合には、当該可読最小サイズと当該文字数に基づき結合文字列に含まれる文字のサイズを拡大すると共に前記図形オブジェクトのサイズを縮小する、
ことを特徴とする請求項１５に記載の画像処理方法。
【請求項１７】
コンピュータに、請求項９〜１６のいずれか１項に記載の方法を実行させるためのプログラム。
【手続補正２】
【補正対象書類名】明細書
【補正対象項目名】０００６
【補正方法】変更
【補正の内容】
【０００６】
本発明の画像処理装置は、画像を縮小して、複数の印字可能領域を有する合成画像を作成する画像処理装置であり、前記合成画像に含まれる文字オブジェクトと図形オブジェクトとを分離する手段と、前記図形オブジェクトから第１のデータを作成する第１のデータ作成手段と、ユーザの指示に従い、前記第１のデータ作成手段により作成された第１のデータに含まれる前記図形オブジェクトのサイズ及び配置位置情報を基に前記図形オブジェクトのサイズを、前記合成画像に含まれる１つの印字可能領域内に配置するように調整し、前記合成画像の領域のうち前記図形オブジェクトが配置された領域を除く印字可能領域に前記文字オブジェクトを配置して、前記合成画像をレイアウトするレイアウト手段と、を備えることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】